(57)【特許請求の範囲】
【請求項１】
ワイヤレス通信を円滑にするように適合された通信インターフェースと、
記憶媒体と、
前記通信インターフェースおよび前記記憶媒体に結合された処理回路であって、
より高い無線リソース制御(RRC)状態からより低いRRC状態に入るように、かつ
現在のサービングセルのRF品質にかかわらず、前記より低いRRC状態に入った時点から、1不連続受信(DRX)サイクル内に、より優先度の高い1つまたは複数の層を探索するように
適合された、処理回路と
を備える、ユーザ機器。
【請求項２】
前記より低いRRC状態がスタンバイ状態またはアイドル状態を含み、前記より高いRRC状態が接続状態を含む、請求項1に記載のユーザ機器。
【請求項３】
前記より低いRRC状態がCELL_PCH状態、URA_PCH状態、またはアイドル状態のうちの1つを含み、前記より高いRRC状態が前記CELL_PCH状態、前記URA_PCH状態、および前記アイドル状態以外の状態である、請求項1に記載のユーザ機器。
【請求項４】
前記現在のサービングセルの前記RF品質が、受信信号コード電力(RSCP)と、前記現在のサービングセルのEc/I0とを含む、請求項1に記載のユーザ機器。
【請求項５】
前記処理回路が、
前記現在のサービングセルにキャンプオンした後、前記1DRXサイクル内に前記より優先度の高い1つまたは複数の層を探索する前に、所定の待機期間の持続時間の間待機する
ようにさらに適合される、請求項1に記載のユーザ機器。
【請求項６】
前記処理回路が、前記現在のサービングセルにキャンプオンした後、セル再選択手順を行う前に遅延するように適合される遅延期間に、前記待機期間が等しい、請求項5に記載のユーザ機器。
【請求項７】
ユーザ機器上で動作可能な方法であって、
より高い無線リソース制御(RRC)状態からより低いRRC状態に入るステップと、
現在のサービングセルのRF品質にかかわらず、前記より低いRRC状態に入った時点から、1不連続受信(DRX)サイクル内に、より優先度の高い1つまたは複数の層を探索するステップと
を含む、方法。
【請求項８】
より高いRRC状態からより低いRRC状態に入るステップが、
接続状態からスタンバイ状態またはアイドル状態に入るステップを含む、請求項7に記載の方法。
【請求項９】
より高いRRC状態からより低いRRC状態に入るステップが、
CELL_PCH状態、URA_PCH状態、およびアイドル状態以外のRRC状態から、前記CELL_PCH状態、前記URA_PCH状態、または前記アイドル状態のうちの1つに入るステップ
を含む、請求項7に記載の方法。
【請求項１０】
現在のサービングセルのRF品質にかかわらず、前記より低いRRC状態に入った時点から、1DRXサイクル内に、より優先度の高い1つまたは複数の層を探索するステップが、
受信信号コード電力(RSCP)と前記現在のサービングセルのEc/I0とに対するそれぞれの値にかかわらず、前記より低いRRC状態に入った時点から、前記1DRXサイクル内に前記より優先度の高い1つまたは複数の層を探索するステップ
を含む、請求項7に記載の方法。
【請求項１１】
前記現在のサービングセルにキャンプオンした後、前記1DRXサイクル内に前記より優先度の高い1つまたは複数の層を探索する前に、所定の待機期間の持続時間の間遅延するステップ
をさらに含む、請求項7に記載の方法。
【請求項１２】
前記現在のサービングセルにキャンプオンした後、前記待機期間の前記持続時間の間遅延するステップが、
前記現在のサービングセルにキャンプオンした後、セル再選択手順が行われない期間に少なくとも実質的に等しい期間の間、遅延するステップ
を含む、請求項11に記載の方法。
【請求項１３】
より高い無線リソース制御(RRC)状態からより低いRRC状態に入るための手段と、
現在のサービングセルのRF品質にかかわらず、前記より低いRRC状態に入った時点から、1不連続受信(DRX)サイクル内に、より優先度の高い1つまたは複数の層を探索するための手段と
を含む、ユーザ機器。
【請求項１４】
前記より低いRRC状態がスタンバイ状態またはアイドル状態を含み、前記より高いRRC状態が接続状態を含む、請求項13に記載のユーザ機器。
【請求項１５】
前記より低いRRC状態がCELL_PCH状態、URA_PCH状態、またはアイドル状態のうちの1つを含み、前記より高いRRC状態が前記CELL_PCH状態、前記URA_PCH状態、および前記アイドル状態以外の状態である、請求項13に記載のユーザ機器。
【請求項１６】
前記現在のサービングセルにキャンプオンした後、前記1DRXサイクル内に前記より優先度の高い1つまたは複数の層を探索する前に、所定の待機期間の持続時間の間遅延するための手段
をさらに含む、請求項13に記載のユーザ機器。
【請求項１７】
ユーザ機器上で動作可能な命令を含む機械可読記憶媒体であって、前記命令が、プロセッサによって実行されると前記プロセッサに、
より高い無線リソース制御(RRC)状態からより低いRRC状態に入らせ、
現在のサービングセルのRF品質とは無関係に、前記より低いRRC状態に入った時点から、1不連続受信(DRX)サイクル内に、より優先度の高い1つまたは複数の層を探索させる、
機械可読記憶媒体。
【請求項１８】
前記より低いRRC状態がスタンバイ状態またはアイドル状態を含み、前記より高いRRC状態が接続状態を含む、請求項17に記載の機械可読記憶媒体。
【請求項１９】
前記より低いRRC状態がCELL_PCH状態、URA_PCH状態、またはアイドル状態のうちの1つを含み、前記より高いRRC状態が前記CELL_PCH状態、前記URA_PCH状態、および前記アイドル状態以外の状態である、請求項17に記載の機械可読記憶媒体。
【請求項２０】
前記プロセッサによって実行されると、前記プロセッサに、
前記現在のサービングセルにキャンプオンした後、前記1DRXサイクル内に前記より優先度の高い1つまたは複数の層を探索する前に、所定の待機期間の持続時間の間遅延させる
命令をさらに含む、請求項17に記載の機械可読記憶媒体。
【請求項２１】
ワイヤレス通信を円滑にするように適合された通信インターフェースと、
記憶媒体と、
前記通信インターフェースおよび前記記憶媒体に結合された処理回路であって、
現在のサービングセルにキャンプオンし、
より高い無線リソース制御(RRC)状態からより低いRRC状態に入り、
前記現在のサービングセルにキャンプオンしてから待機期間が経過した場合、前記より低いRRC状態に入った時点から、1不連続受信(DRX)サイクル内に、より優先度の高い1つまたは複数の層を探索し、
前記現在のサービングセルにキャンプオンしてから前記待機期間が経過していない場合、前記待機期間の持続時間に続く前記1DRXサイクル内に、より優先度の高い1つまたは複数の層を探索する
ように適合された、処理回路と
を備える、ユーザ機器。
【請求項２２】
前記より低いRRC状態がCELL_PCH状態、URA_PCH状態、またはアイドル状態のうちの1つを含み、前記より高いRRC状態が前記CELL_PCH状態、前記URA_PCH状態、および前記アイドル状態以外の状態である、請求項21に記載のユーザ機器。
【請求項２３】
前記処理回路が、前記現在のサービングセルにキャンプオンした後、セル再選択を控えるように適合される遅延期間に、前記待機期間が等しい、請求項21に記載のユーザ機器。
【請求項２４】
前記現在のサービングセルにキャンプオンしてから前記待機期間が経過していない場合、前記処理回路が、
前記1DRXサイクルプラス前記待機期間内に、より優先度の高い1つまたは複数の層を探索する
ように適合される、請求項21に記載のユーザ機器。
【請求項２５】
前記現在のサービングセルにキャンプオンしてから前記待機期間が経過していない場合、前記処理回路が、
前記現在のサービングセルにキャンプオンしてから前記待機期間が経過した後、前記1DRXサイクル内に、より優先度の高い1つまたは複数の層を探索する
ように適合される、請求項21に記載のユーザ機器。
【請求項２６】
ユーザ機器上で動作可能な方法であって、
現在のサービングセルにキャンプオンするステップと、
より高い無線リソース制御(RRC)状態からより低いRRC状態に入るステップと、
前記現在のサービングセルにキャンプオンしてから待機期間が経過した場合、前記より低いRRC状態に入った時点から、1不連続受信(DRX)サイクル内に、より優先度の高い1つまたは複数の層を探索するステップと、
前記現在のサービングセルにキャンプオンしてから前記待機期間が経過していない場合、前記待機期間の持続時間に続く前記1DRXサイクル内に、より優先度の高い1つまたは複数の層を探索するステップと
を含む、方法。
【請求項２７】
より高いRRC状態からより低いRRC状態に入るステップが、
CELL_PCH状態、URA_PCH状態、およびアイドル状態以外のRRC状態から、前記CELL_PCH状態、前記URA_PCH状態、または前記アイドル状態のうちの1つに入るステップ
を含む、請求項26に記載の方法。
【請求項２８】
前記待機期間の持続時間に続く前記1DRXサイクル内に、より優先度の高い1つまたは複数の層を探索するステップが、
前記現在のサービングセルにキャンプオンした後、セル再選択が実施されない遅延期間の持続時間に続く前記1DRXサイクル内に、より優先度の高い1つまたは複数の層を探索するステップ
を含む、請求項26に記載の方法。
【請求項２９】
前記待機期間の持続時間に続く前記1DRXサイクル内に、より優先度の高い1つまたは複数の層を探索するステップが、
前記1DRXサイクルプラス前記待機期間の前記持続時間内に、より優先度の高い1つまたは複数の層を探索するステップ
を含む、請求項26に記載の方法。
【請求項３０】
前記待機期間の持続時間に続く前記1DRXサイクル内に、より優先度の高い1つまたは複数の層を探索するステップが、
前記現在のサービングセルにキャンプオンしてから前記待機期間が経過した後、前記1DRXサイクル内に、より優先度の高い1つまたは複数の層を探索するステップ
を含む、請求項26に記載の方法。
【請求項３１】
現在のサービングセルにキャンプオンするための手段と、
より高い無線リソース制御(RRC)状態からより低いRRC状態に入るための手段と、
前記現在のサービングセルにキャンプオンしてから待機期間が経過した場合、前記より低いRRC状態に入った時点から、1不連続受信(DRX)サイクル内に、より優先度の高い1つまたは複数の層を探索するための手段と、
前記現在のサービングセルにキャンプオンしてから前記待機期間が経過していない場合、前記待機期間の持続時間に続く前記1DRXサイクル内に、より優先度の高い1つまたは複数の層を探索するための手段と
を含む、ユーザ機器。
【請求項３２】
ユーザ機器上で動作可能な命令を含む機械可読記憶媒体であって、前記命令が、プロセッサによって実行されると前記プロセッサに、
現在のサービングセルにキャンプオンさせ、
より高い無線リソース制御(RRC)状態からより低いRRC状態に入らせ、
前記現在のサービングセルにキャンプオンしてから待機期間が経過した場合、前記より低いRRC状態に入った時点から、1不連続受信(DRX)サイクル内に、より優先度の高い1つまたは複数の層を探索させ、
前記現在のサービングセルにキャンプオンしてから前記待機期間が経過していない場合、前記待機期間の持続時間に続く前記1DRXサイクル内に、より優先度の高い1つまたは複数の層を探索させる、機械可読記憶媒体。
【発明の詳細な説明】
【技術分野】
【０００１】
米国特許法第119条に基づく優先権の主張
本特許出願は、本出願の譲受人に譲渡され、参照により本明細書に明確に組み込まれる、2011年6月21日に出願された「Cell Reselection for Higher Priority Layers」と題する米国仮出願第61/499,668号の優先権を主張する。
【０００２】
以下は、一般に、ワイヤレス通信に関し、より詳細には、より優先度の高い層に対するセル再選択を円滑にするための方法およびデバイスに関する。
【背景技術】
【０００３】
電話、ビデオ、データ、メッセージング、放送などの様々な通信サービスを提供するために、ワイヤレス通信ネットワークが広範囲に展開されている。そのようなネットワークは、利用可能なネットワークリソースを共有することによって複数のワイヤレス端末に対する通信をサポートすることが可能な多元接続ネットワークであってよい。そのような多元接続ネットワークの例には、符号分割多元接続(CDMA)ネットワーク、時分割多元接続(TDMA)ネットワーク、周波数分割多元接続(FDMA)ネットワーク、および直交FDMA(OFDMA)ネットワークがある。
【０００４】
ワイヤレス端末が様々なワイヤレス通信ネットワークの中で動作するときに、ワイヤレス端末は、ネットワーク中の2つ以上の異なるセルの間で切り替えることがある。いくつかの例では、1つのセルから別のセルへの切り替えは、優先度の様々なメトリックしきい値および/またはレベルによって規定され得る。たとえば、ワイヤレス端末は、新しいセルが前のセルより高い優先度であるという理由で、前のセルから新しいセルに再選択することができる。そのようなセル選択および再選択手順は、ワイヤレス通信ネットワーク内のワイヤレス端末の動作効率を円滑にし、さらには改善することができるが、セル選択および再選択手順はまた、いくつかの例では、ワイヤレス端末のバッテリー寿命に負担をかけることがある。したがって、セル選択および再選択手順における進歩が、ワイヤレス通信ネットワーク内のワイヤレス端末の動作効率を改善するため、および/またはワイヤレス端末内の電力消費を改善するために有益であり得る。
【発明の概要】
【課題を解決するための手段】
【０００５】
本開示の様々な例および実装形態は、ワイヤレス通信ネットワーク内で動作するデバイスの動作効率を改善するため、および/またはそのようなデバイスの電力消費を改善するために、セル選択および再選択手順を改善することに関する。少なくとも1つの態様によれば、ユーザ機器(UE)が提供される。少なくともいくつかの例では、そのようなUEは、記憶媒体に結合された処理回路と、ワイヤレス通信を円滑にするように適合された通信インターフェースとを含むことができる。処理回路は、より高い無線リソース制御(RRC)状態からより低いRRC状態に入るように適合され得る。処理回路は、さらに、現在のサービングセルのRF品質とは無関係に、より低いRRC状態に入ると、所定の期間内に、より優先度の高い1つまたは複数の層を探索することができる。
【０００６】
追加の態様は、UE上で動作可能な方法を提供する。そのような方法の1つまたは複数の例は、より高いRRC状態からより低いRRC状態に入ることを含むことができる。探索が、より優先度の高い1つまたは複数の層に対して行われ得る。この探索は、現在のサービングセルのRF品質にかかわらず、より低いRRC状態に入ると、所定の期間内に行われ得る。さらなる態様は、そのような方法を実施するための手段を含むUEを提供する。
【０００７】
本開示のさらなる追加の態様は、UE上で動作可能な命令を含む機械可読媒体を含む。1つまたは複数の例によれば、そのような命令は、プロセッサに、より高いRRC状態からより低いRRC状態に入らせ、現在のサービングセルのRF品質にかかわらず、より低いRRC状態に入ると、所定の期間内に、より優先度の高い1つまたは複数の層を探索させることができる。
【０００８】
本開示の少なくとも1つの他の態様によれば、記憶媒体に結合された処理回路と、ワイヤレス通信を円滑にするように適合された通信インターフェースとを含むUEが提供される。処理回路は、現在のサービングセルにキャンプオンし、より高いRRC状態からより低いRRC状態に入るように適合され得る。現在のサービングセルにキャンプオンしてから待機期間が経過した場合、処理回路は、より低いRRC状態に入ると、所定の期間内に、より優先度の高い1つまたは複数の層を探索することができる。現在のサービングセルにキャンプオンしてから待機期間が経過していない場合、処理回路は、待機期間の持続時間に続く所定の期間内に、より優先度の高い1つまたは複数の層を探索することができる。
【０００９】
さらなる態様は、そのような方法を実施するための手段を含む、1つおよび/または複数のUE上で動作可能な方法を含む。そのような方法の1つまたは複数の例は、現在のサービングセルにキャンプオンすることを含むことができる。より低いRRC状態には、より高いRRC状態から入ることができる。現在のサービングセルにキャンプオンしてから待機期間が経過した場合、より優先度の高い1つまたは複数の層の探索が、より低いRRC状態に入ると、所定の期間内に行われ得る。現在のサービングセルにキャンプオンしてから待機期間が経過していない場合、より優先度の高い1つまたは複数の層の探索が、待機期間の持続時間に続く所定の期間内に行われ得る。
【００１０】
さらに追加の態様は、UE上で動作可能な命令を含む機械可読媒体を提供する。1つまたは複数の例によれば、そのような命令は、プロセッサに、現在のサービングセルにキャンプオンさせることができる。命令はさらに、プロセッサに、より高いRRC状態からより低いRRC状態に入らせることができる。現在のサービングセルにキャンプオンしてから待機期間が経過した場合、命令は、プロセッサに、より低いRRC状態に入ると、所定の期間内に、より優先度の高い1つまたは複数の層を探索させることができる。現在のサービングセルにキャンプオンしてから待機期間が経過していない場合、命令は、プロセッサに、待機期間の持続時間に続く所定の期間内に、より優先度の高い1つまたは複数の層を探索させることができる。
【図面の簡単な説明】
【００１１】
【図１】本開示の少なくとも1つの例によるワイヤレス通信システムの選択構成要素を示すブロック図である。
【図２】本開示の1つまたは複数の態様がアプリケーションを見つけることができるネットワーク環境の少なくとも1つの例を示すブロック図である。
【図３】本開示の少なくとも1つの例によるユーザ機器の選択構成要素を示すブロック図である。
【図４】少なくとも1つの実装形態によるユーザ機器上で動作可能な方法を示すフロー図である。
【図５】ユーザ機器上で動作可能な方法の少なくとも1つの例を示すフロー図である。
【発明を実施するための形態】
【００１２】
以下の説明では、説明した概念を完全に理解することができるように具体的な詳細を与える。ただし、本明細書で説明する様々な概念は、これらの具体的な詳細なしに実施され得ることを当業者は理解されよう。いくつかの例では、説明した概念および特徴を不明瞭にしないように、よく知られている回路、構造、構成要素および技法をブロック図の形式で示すことがある。
【００１３】
本開示全体にわたって提示される様々な概念は、広範な遠隔通信システム、ネットワークアーキテクチャ、および通信規格にわたって実装され得る。たとえば、本明細書で説明する概念は、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワークなどのワイヤレス通信ネットワークにおいて使用され得る。「ネットワーク」および「システム」という用語は、しばしば互換的に使用される。CDMAネットワークは、Universal Terrestrial Radio Access(UTRA)、cdma2000などの無線技術を実装することができる。UTRAネットワーク(UTRAN)は、広帯域CDMA(WCDMA(登録商標))および低チップレート(LCR)を含む。CDMA2000は、IS-2000、IS-95およびIS-856規格を対象とし、エボリューション・データ最適化(EV-DO)またはウルトラモバイルブロードバンド(Ultra Mobile Broadband)(UMB)エアインターフェース規格を含むことができる。TDMAネットワークは、Global System for Mobile Communications(GSM(登録商標))などの無線技術を実装することができる。OFDMAネットワークは、Evolved UTRA(E-UTRA)、IEEE802.11、IEEE802.16、IEEE802.20、FlashOFDM(登録商標)などの無線技術を実装することができる。UTRA、E-UTRA、およびGSM(登録商標)は、Universal Mobile Telecommunication System(UMTS)の一部である。Long Term Evolution(LTE)は、E-UTRAを使用するUMTSの改善されたリリースである。UTRA、E-UTRA、GSM(登録商標)、UMTS、およびLTEは、「第3世代パートナーシッププロジェクト」(3GPP)という名称の組織からの文書に記載されている。CDMA2000は、「第3世代パートナーシッププロジェクト2」(3GPP2)という名称の組織からの文書に記載されている。これらの様々な無線技術および規格は、当技術分野で知られている。限定としてではなく例として、本開示のいくつかの態様は、UMTSおよびLTEに対して以下で説明され、UMTS/LTEという用語は、以下の説明の大半において見出され得る。
【００１４】
図1は、WCDMA(登録商標)エアインターフェースを使用するUMTSシステムの少なくとも1つの例によるワイヤレス通信システム100の選択構成要素を示すブロック図である。ワイヤレス通信システム100は、一般に、ユーザ機器(UE)102と、UMTS地上波無線アクセスネットワーク(UTRAN)104と、互いに対話するように適合されたコアネットワーク(CN)106とを含む。
【００１５】
ユーザ機器(UE)102は、一般に、ワイヤレス信号を介して1つまたは複数の他のデバイスと通信するデバイスを含む。UE 102はまた、当業者によって、移動局(MS)、加入者局、モバイルユニット、加入者ユニット、ワイヤレスユニット、リモートユニット、モバイルデバイス、ワイヤレスデバイス、ワイヤレス通信デバイス、遠隔デバイス、モバイル加入者局、アクセス端末(AT)、モバイル端末、ワイヤレス端末、遠隔端末、ハンドセット、端末、ユーザエージェント、モバイルクライアント、クライアント、またはいくつかの他の適切な用語で呼ばれることもある。UE 102のいくつかの非限定的な例は、モバイル電話、ページャ、ワイヤレスモデム、携帯情報端末(PDA)、個人情報マネージャ(PIM)、パーソナルメディアプレーヤ、パームトップコンピュータ、ラップトップコンピュータ、タブレットコンピュータ、テレビジョン、電気製品(appliance)、電子ブック、デジタルビデオレコーダ(DVR)、および/または少なくとも部分的にはワイヤレスもしくはセルラーネットワークを介して通信する他の通信/コンピューティングデバイスを含む。1つまたは複数のUE 102は、UTRAN 104を介してワイヤレスネットワークと通信することができる。
【００１６】
UTRAN 104は、一般に、電話、ビデオ、データ、メッセージング、放送、および/または他のサービスを含む様々なワイヤレスサービスを提供するように適合される。UTRAN 104は、それぞれの無線ネットワークコントローラ(RNC)110によって各々制御される、複数の無線ネットワークサブシステム(RNS)108を含むことができる。ここで、UTRAN 104は、本明細書で説明するRNC 110およびRNS 108に加えて、任意の数のRNC 110およびRNS 108を含むことができる。RNC 110は、とりわけ、RNS 108内の無線リソースを割り当て、再構成し、解放することに全体的に適合されている。RNC 110は、任意の適切なトランスポートネットワークを使用する、直接の物理接続、仮想ネットワークなど様々なタイプのインターフェースを介して、UTRAN 104中の他のRNC(図示せず)に相互接続され得る。
【００１７】
各RNS 108によってカバーされる地理的領域は、いくつかのセル(たとえば、図2のセル202)に分けることができ、無線トランシーバ装置が各セルにサービスする。無線トランシーバ装置は、通常、UMTS用途ではNode B 112と呼ばれるが、当業者によって、基地局(BS)、送受信基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快のために、3つのNode B 112が、各RNS 108の中に示される。しかしながら、RNS 108は、任意の数のワイヤレスNode B 112含むことができる。Node B 112は、ワイヤレスアクセスポイントを任意の数のUE 102のためのコアネットワーク(CN)106に提供する。UE 102とNode B 112との間の通信は、物理(PHY)層および媒体アクセス制御(MAC)層を含むものと見なされ得る。さらに、それぞれのNode B 112によるUE 102とRNC 110との間の通信は、無線リソース制御(RRC)層を含むものと見なされ得る。本明細書では、PHY層は、レイヤ1と見なされ、MAC層は、レイヤ2と見なされ、RRC層は、レイヤ3と見なされ得る。本開示で説明する情報は、参照により本明細書に組み込まれるRadio Resource Control (RRC) Protocol Specification、3GPP TS 25.331 v9.1.0に述べられている用語を使用する。
【００１８】
説明のために、1つのUE 102がいくつかのNode B 112と通信しているように示される。順方向リンクとも呼ばれるダウンリンク(DL)は、Node B 112からUE 102へのワイヤレス通信リンクを指し、逆方向リンクとも呼ばれるアップリンク(UL)は、UE 102からNode B 112へのワイヤレス通信リンクを指す。
【００１９】
コアネットワーク106は、UTRAN 104のような1つまたは複数のアクセスネットワークとインターフェースをとる。コアネットワーク106は、回線交換(CS)領域およびパケット交換(PS)領域を含む。回線交換要素のいくつかは、モバイルサービス交換センタ(MSC)、ビジターロケーションレジスタ(VLR)、およびゲートウェイMSCである。パケット交換要素は、サービングGPRSサポートノード(SGSN)、およびゲートウェイGPRSサポートノード(GGSN)を含む。EIR、HLR、VLR、およびAuCのようないくつかのネットワーク要素は、回線交換領域とパケット交換領域の両方によって共有され得る。図示の例では、コアネットワーク106は、MSC 116およびGMSC 118によって回線交換サービスをサポートする。いくつかの用途では、GMSC 118は、メディアゲートウェイ(MGW)とも呼ばれ得る。RNC 110のような1つまたは複数のRNCが、MSC 116に接続され得る。MSC 116は、呼設定、呼ルーティング、およびUEモビリティ機能を制御する装置である。MSC 116は、UE 102がMSC 116のカバレッジエリア内にある間、加入者関連の情報を格納する、ビジターロケーションレジスタ(VLR)も含む。GMSC 118は、UE 102が回線交換ネットワーク120にアクセスするためのゲートウェイを、MSC 116を通じて提供する。
【００２０】
コアネットワーク106は、特定のユーザが加入したサービスの詳細を反映するデータのような加入者データを格納する、ホームロケーションレジスタ(HLR)122を含む。HLR 122は、加入者に固有の認証データを格納する、認証センタ(AuC)とも関連付けられている。特定のUE 102について、呼が受信されると、GMSC 118は、UE 102の位置を決定するためにHLR 122に問い合わせ、その位置でサービスする特定のMSC 116に呼を転送する。
【００２１】
コアネットワーク106はまた、サービングGPRSサポートノード(SGSN)124およびゲートウェイGPRSサポートノード(GGSN)126によって、パケットデータサービスをサポートする。汎用パケット無線サービスを表すGPRSは、標準の回線交換データサービスで可能なものより速い速度でパケットデータサービスを提供するよう設計されている。GGSN 126は、パケットベースネットワーク128へのUTRAN 104の接続を提供する。パケットベースネットワーク128は、インターネット、プライベートデータネットワーク、または何らかの他の適切なパケットベースネットワークでもよい。GGSN 126の主要機能は、UE 102にパケットベースネットワーク接続を提供することである。データパケットは、MSC 116が回線交換領域において実施するのと同じ機能をパケットベース領域において主に実施するSGSN 124を介して、GGSN 126とUE 102との間で転送され得る。
【００２２】
図2を参照すると、本開示の1つまたは複数の態様がアプリケーションを見つけることができるネットワーク環境の例示的な一例を示すブロック図が示されている。ワイヤレス通信ネットワーク200は、セル202(たとえば、202-a、202-b、および202-c)を含む複数のセルラー領域(セル)を含み、セルの各々は、1つまたは複数のセクタを含むことができる。複数のセクタは、セル202の一部分において1つまたは複数のワイヤレス通信デバイスと通信する役目を果たす各アンテナを有するアンテナのグループによって形成され得る。たとえば、セル202-aにおいて、アンテナグループ206、208、および210は、各々異なるセクタに対応することができる。セル202-bにおいて、アンテナグループ212、214、および216は、各々異なるセクタに対応する。セル202-cにおいて、アンテナグループ218、220、および222は、各々異なるセクタに対応する。
【００２３】
セル202-a、202-bおよび202-cのそれぞれは、それぞれNode B 112-a、112-bおよび112-cを含むことができる。図示の例では、様々なUE 102が様々なNode B 112と通信している。上記のように、Node B 112(たとえば、112-a、112-bおよび112-c)のそれぞれは、それぞれのセル202-a、202-b、および202-cにおいて、すべてのUE 102に対してコアネットワーク(たとえば、図1のコアネットワーク106)へのアクセスポイントを提供するように適合される。いくつかの態様では、UE 102は、異なるセル202-a、202-b、および202-cのうちの1つまたは複数と通信することが可能であり得る。たとえば、図2に示していないが、セル202-a、202-b、および202-cはオーバーラップしてよく、ワイヤレス通信ネットワーク200内で動作している複数のUE 102に、異なる特徴および/または無線アクセス技術を提供することができる。
【００２４】
図3を参照すると、本開示の少なくとも1つの例による、そのようなUE 102の例示的な選択構成要素を示すブロック図が示されている。UE 102は、通信インターフェース304および記憶媒体306に結合された処理回路302を含むことができる。
【００２５】
処理回路302は、データを取得、処理、および/または送信し、データのアクセスおよび記憶を制御し、コマンドを発行し、他の所望の動作を制御するように構成される。処理回路302は、少なくとも1つの実施形態では、適切なメディアによって与えられる所望のプログラミングを実装するように構成された回路を含むことができる。たとえば、処理回路302は、たとえば、ソフトウェアおよび/もしくはファームウェア命令、および/またはハードウェア回路を含む実行可能命令を実行するように構成された、プロセッサ、コントローラ、複数のプロセッサおよび/または他の構造のうちの1つまたは複数として実装され得る。処理回路302の例は、汎用プロセッサ、デジタル信号プロセッサ(DSP)、特定用途向け集積回路(ASIC)、フィールドプログラマブルゲートアレイ(FPGA)または他のプログラマブル論理構成要素、個別ゲートまたはトランジスタ論理、個別ハードウェア構成要素、あるいは本明細書で説明する機能を実施するように設計されたそれらの任意の組合せを含むことができる。汎用プロセッサはマイクロプロセッサであり得るが、代替として、プロセッサは、任意の従来のプロセッサ、コントローラ、マイクロコントローラ、または状態機械であり得る。プロセッサは、DSPとマイクロプロセッサとの組合せ、複数のマイクロプロセッサ、DSPコアと連携する1つまたは複数のマイクロプロセッサ、あるいは任意の他のそのような構成など、コンピューティング構成要素の組合せとしても実装され得る。処理回路302のこれらの例は説明のためのものであり、本開示の範囲内の他の好適な構成も企図される。
【００２６】
処理回路302は、記憶媒体306に記憶され得るプログラミングの実行を含めて処理するように適合される。本明細書で使用するように、「プログラミング」という用語は、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを、限定することなく含むように、広く解釈されるべきである。少なくとも1つの例によれば、処理回路は、層選択モジュール308を含むことができる。層選択モジュール308は、本明細書で説明する層選択動作を実施するように適合された回路および/またはプログラミングを含むことができる。
【００２７】
通信インターフェース304は、UE 102のワイヤレス通信を円滑にするように構成される。たとえば、通信インターフェース304は、情報の通信を、1つまたは複数のネットワークノードに関して双方向に円滑にするように適合された回路および/またはプログラミングを含むことができる。通信インターフェース304は、1つまたは複数のアンテナ(図示せず)に結合されてよく、少なくとも1つの受信機回路310(たとえば、1つまたは複数の受信機チェーン)および/または少なくとも1つの送信機回路312(たとえば、1つまたは複数の送信機チェーン)を含む、ワイヤレストランシーバ回路を含むことができる。
【００２８】
記憶媒体306は、プロセッサ実行可能なコードもしくは命令(たとえば、ソフトウェア、ファームウェア)、電子データ、データベース、または他のデジタル情報などの、プログラミングおよび/またはデータを記憶するための1つまたは複数のデバイスを表し得る。記憶媒体306は、プログラミングを実行するときに処理回路302によって操作されるデータを記憶するために使用されてもよい。記憶媒体306は、汎用または専用のプロセッサによってアクセスされ得る任意の利用可能な媒体であり得る。限定ではなく例として、記憶媒体306は、磁気記憶デバイス(たとえば、ハードディスク、フレキシブルディスク、磁気ストリップ)、光記憶媒体(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取外し可能ディスク、および/または、情報を記憶するための他の非一時的コンピュータ可読媒体、ならびにそれらの任意の組合せなど、非一時的コンピュータ可読媒体を含むことができる。記憶媒体306は、処理回路302がその記憶媒体306から情報を読み取り、その記憶媒体に情報を書き込むことができるように処理回路302に結合され得る。すなわち、記憶媒体306が少なくとも処理回路302によってアクセス可能であるように、記憶媒体306が、処理回路302に結合されてよく、記憶媒体306が処理回路302と一体である例と、記憶媒体306が処理回路302と分離している例とを含むことができる。
【００２９】
記憶媒体306によって記憶されているプログラミングは、処理回路302によって実行されると、処理回路302に、本明細書で説明する様々な機能および/または処理ステップのうちの1つまたは複数を実施させる。記憶媒体306は、層選択動作(すなわち、命令)314を含むことができる。層選択動作314は、処理回路302によって、たとえば層選択モジュール308の中に実装され得る。したがって、本開示の1つまたは複数の態様によれば、処理回路302は、本明細書で説明するUE 102のいずれかまたはすべてに対して、特徴、プロセス、機能、ステップおよび/またはルーチンのいずれかまたはすべてを実施するように適合され得る。処理回路302に関係して本明細書で使用する「適合される」という用語は、本明細書に記載した様々な特徴による特定のプロセス、機能、ステップおよび/またはルーチンを実施するように構成されること、利用されること、実装されること、および/またはプログラムされることのうちの1つまたは複数が行われる処理回路302を指し得る。
【００３０】
UE 102がネットワーク(たとえば、図2のネットワーク200)内で動作するとき、処理回路302は、様々な無線リソース制御(RRC)状態を使用するように適合される。これらの無線リソース制御(RRC)状態は、IDLE状態と、1つまたは複数のスタンバイ状態と、1つまたは複数の接続状態とを含むことができる。限定ではなく例として、スタンバイ状態は、URA_PCH状態とCELL_PCH状態とを含むスタンバイ状態のグループから選択された1つまたは複数の状態を含むことができる。限定ではなく別の例として、接続状態は、CELL_DCH状態とCELL_FACH状態とを含む接続状態のグループから選択された1つまたは複数の状態を含むことができる。処理回路302は、呼または接続の活動に応じてそのRRC状態を変えることができる。たとえば、十分な期間の間、通信インターフェース304を介して送信するためのデータがないとき、処理回路302は、漸次より低い状態に入ることができる。一例では、処理回路302は、CELL_DCHまたはCELL_FACH状態から、いくつかの中間レベルのスタンバイ状態(たとえば、CELL_PCH、URA_PCH)のうちの1つに、もしくはいくつかの中間レベルのスタンバイ状態を漸次通って、および/またはIDLE状態に、進むことができる。スタンバイ状態は、ネットワーク容量、呼設定時間、バッテリー時間などの要因とデータ速度との間で様々なトレードオフを提供する。IDLE状態は、バッテリー電力を節約するが、ワイヤレス接続性はほとんど提供しない。スタンバイ状態(たとえば、CELL_PCH、URA_PCH)およびIDLE状態は、接続状態(たとえば、CELL_DCH、CELL_FACH)に対してより低い活動状態であり、本開示の中で言及する、より低い状態の例を含み得るが、一方、接続状態は、本開示の中で言及する、より高い状態の例を含むことができる。
【００３１】
第3世代パートナーシッププロジェクト(3GPP)は、第2世代GSM(登録商標)ワイヤレスシステムから発展する次世代ワイヤレスシステムの定義およびメンテナンスを担う国際団体である。一態様では、3GPP規格仕様TS 25.133は、主に、ワイヤレスチャネルの測定が、いつどのように行われるかを指定することに関する、無線リソース管理に対する要件を記載する。通信インターフェース304を介して処理回路302によって行われる多くのそのような測定は、あまり頻繁に実行されると、比較的早くバッテリーを消耗する可能性がある。
【００３２】
この規格仕様TS 25.133の最近のバージョンは、その開示全体が参照により本明細書に組み込まれており、処理回路302が接続状態(たとえば、CELL_DCH、CELL_FACH)からより低い状態(たとえば、IDLE状態、CELL_PCH、URA_PCH)に変わるときはいつでも、処理回路302は、サービングセルのRF品質が所定のしきい値より高い場合、1不連続受信(DRX)サイクル内に、より優先度の高い層の探索を開始することを可能にする。たとえば、処理回路302が、接続状態(たとえば、CELL_DCH、CELL_FACH)から中間レベルのスタンバイ状態(たとえば、CELL_PCH、URA_PCH)のうちの1つに、またはIDLE状態に変わる場合、規格仕様は、SrxlevServingCellがSprioritysearch1より大きい場合、およびSqualServingCellがSprioritysearch2より大きい場合、処理回路302が、1不連続受信(DRX)サイクル内に、より優先度の高い層の探索を開始することを記載している。SrxlevおよびSqualは、全体的に、サービングセルのRF品質を指す。「S」は、セルの適切性を指す。Srxlevは、セルからの受信信号コード電力(RSCP)に関し、Squalは、セルのEc/I0に関する。Sprioritysearch1およびSprioritysearch2は、所定のしきい値である。
【００３３】
本明細書で使用する、より優先度の高い層は、UE 102をサービスするのに好適であり得る搬送波周波数および/または無線アクセス技術(RAT)を指すことができる。限定ではなく例として、より優先度の高い層は、1つもしくは複数のより高い優先度のUTRA異周波数間セル(またはより高い優先度のUTRA FDD層)、より高い優先度の1つもしくは複数のGSM(登録商標)ブロードキャスト制御チャネル(BCCH)搬送波、より高い優先度のE-UTRAセル、または1つもしくは複数の他のより優先度の高い層、ならびにそれらの組合せを含むことができる。UTRA異周波数間セルに対応する、より優先度の高い層の例示的な一例では、UE 102が、2つの異なるUTRAセルによって異なる周波数においてサービスされる位置にあることが起こり得る。このことは、たとえば、サービスが850MHz帯域と1900MHz帯域とにおいて利用可能である、アメリカ合衆国内のAT&Tネットワークなどのネットワークにおいて起こり得る。一般に、850MHz帯域は、1900MHz帯域より良好なカバレージと良好な性能とを提供し、1900MHz帯域より優先度の高い層を代表することができる。したがって、3GPP仕様TS 25.133によれば、処理回路302が、接続状態(たとえば、CELL_DCH、CELL_FACH)からIDLE状態またはスタンバイ状態(たとえば、CELL_PCH、URA_PCH)に進むときはいつでも、処理回路302は、1DRXサイクル内に、より優先度の高い層の探索を行う。より優先度の高い層(たとえば、850MHz層)が発見された場合、処理回路302は、より優先度の高い層に(たとえば、1900MHz層から850MHz層に)再選択する。示したように、より優先度の高い層は、追加としてまたは代替として、異なる無線アクセス技術(RAT)を含むことができる。たとえば、より優先度の高い層は、LTEのためのE-UTRAセル、またはGSM(登録商標)セルであってよい。
【００３４】
より低い状態に入った後、所定の期間(たとえば、1不連続受信(DRX)サイクル)内に、より優先度の高い層を探索するというこの特徴は、少なくとも、処理回路302が比較的速く状態間で変化している場合は有利であり得る。たとえば、処理回路302は、接続状態にある間に通信インターフェース304を介して数バイトを送信し、次いで、一時的に非アクティブになってスタンバイ状態またはIDLE状態に移行し、その後さらに数バイトを送信して処理回路302が元の接続状態に切り替わり、次いで、スタンバイ状態またはIDLE状態に戻る、など。そのようなシナリオでは、処理回路302は、スタンバイ状態またはIDLE状態に入ると、より優先度の高い層のために必要な探索を完了するのに十分な時間がなく、より優先度の高い層に切り替えられない可能性がある。しかしながら、処理回路302は、より低い状態に入った後、比較的速やかに(たとえば、1不連続受信(DRX)サイクル内に)いずれかのより優先度の高い層を探索するので、処理回路302は、探索を完了し、より優先度の高い層を識別し、新しいデータが送信可能になる前に、そのようなより優先度の高い層に切り替わる可能性が高い。
【００３５】
本開示の少なくとも1つの態様によれば、処理回路302は、サービングセルのRF品質にかかわらず、より高いRRC状態からより低いRRC状態に入ると、所定の期間内に、より優先度の高い層の探索を実施するように適合され得る。少なくとも一例によれば、所定の期間は1不連続受信(DRX)サイクルであってよく、それにより、処理回路302は、サービングセルのRF品質にかかわらず、より低いRRC状態に入ってから1不連続受信(DRX)サイクル内に1つまたは複数のより優先度の高い層を探索するように適合される。
【００３６】
図4を参照すると、少なくとも一例による、UE 102などのUE上で動作可能な方法を示すフロー図が示されている。図3と図4の両方を参照すると、UE 102は、ステップ402でより高いRRC状態からより低いRRC状態に入ることができる。たとえば、処理回路302は、より高いRRC状態からより低いRRC状態に変わることができる。少なくとも一例では、より高いRRC状態がスタンバイ状態またはIDLE状態以外であったときに(たとえば、より高いRRC状態がCELL_DCHまたはCELL_FACHなどの接続状態である場合に)、処理回路302がスタンバイ状態(たとえば、CELL_PCH、URA_PCH)またはIDLE状態に入るとき、処理回路302は、より低いRRC状態に入ることができる。たとえば、処理回路302が、以前に、CELL_PCH状態、URA_PCH状態、またはIDLE状態のいずれでもなかったとき、処理回路302は、これらの状態のうちの1つに入ることによって、より低いRRC状態に入ることができる。
【００３７】
ステップ404で、UE 102は、現在のサービングセルのRF品質にかかわらず、より低いRRC状態に入ると、所定の期間内に、より優先度の高い1つまたは複数の層を探索する。たとえば、層選択動作314を実施する処理回路302(たとえば、層選択モジュール308)は、より低いRRC状態に入ったことに応答して1つまたは複数のより優先度の高い層の探索を行うことができ、処理回路302がより低いRRC状態に入った時点から所定の期間内に、探索が行われる。非限定的な一例では、層選択動作314を実施する処理回路302(たとえば、層選択モジュール308)は、より低いRRC状態に入ると、1不連続受信(DRX)サイクル内に、より優先度の高い層の探索を開始する。より優先度の高い層の探索は、処理回路302が、1つまたは複数のより優先度の高い層に関するデータを、通信インターフェース304を介して取得する(たとえば、測定値を採取する、セルの使用可能性を識別する、など)ことを含むことができる。
【００３８】
現在のサービングセルのRF品質が何らかの所定のしきい値を超えるかどうかを最初に判断するのではなく、層選択動作314を実施する処理回路302(たとえば、層選択モジュール308)は、現在のサービングセルのRF品質を考慮することなくその品質とは無関係に、より優先度の高い1つまたは複数の層の探索を行う。たとえば、層選択動作314を実施する処理回路302(たとえば、層選択モジュール308)は、SrxlevServingCellおよびSqualServingCellに対する値にかかわらず、所定の期間内に1つまたは複数のより優先度の高い層の探索を行う。言い換えれば、より優先度の高い層の探索は、現在のサービングセルの受信信号コード電力(RSCP)および/またはEc/I0に対する値にかかわらず、所定の期間内に行われ得る。したがって、現在の3GPP規格仕様TS 25.133に反して、処理回路302は、たとえSrxlevServingCellの値がSprioritysearch1以下である場合、および/またはSqualServingCellがSprioritysearch2以下である場合でも、所定の期間(たとえば、1不連続受信(DRX)サイクル)内に1つまたは複数のより優先度の高い層の探索を実施するように適合される。
【００３９】
本開示の少なくとも1つの追加または代替の態様によれば、処理回路302は、UE 102が、所定のしきい値の時間の間、現在のサービングセルにキャンプオンしていない場合、より優先度の高い層の探索を実施することを遅らせるように適合され得る。図5は、UE 102などのUE上で動作可能であるそのような方法の少なくとも1つの例を示すフロー図である。
【００４０】
図3と図5の両方を参照すると、UE 102は、ステップ502で、現在のサービングセルにキャンプオンすることができる。たとえば、処理回路302は、UE 102に、現在のサービングセルにキャンプオンさせることができる。現在のサービングセルにキャンプオンするそのようなプロセスは、処理回路302によって実施されるセル再選択手順の結果であってよい。セル再選択は、UE 102がすでに登録され、前のセルにキャンプオンされた後、処理回路302が、キャンプオンするための新しいセルを選択するプロセスを指す。セル再選択手順の少なくともいくつかの態様は、3GPP規格仕様TS 25.304に記載されており、その開示の全体が、この参照により本明細書に組み込まれる。
【００４１】
ステップ504で、UE 102は、より高いRRC状態からより低いRRC状態に入ることができる。たとえば、処理回路302は、より高いRRC状態からより低いRRC状態に変わることができる。少なくとも一例では、処理回路302が、スタンバイ状態(たとえば、CELL_PCH、URA_PCH)またはIDLE状態以外の状態(たとえば、より高いRRC状態がCELL_DCHまたはCELL_FACHなどの接続状態である場合)から、スタンバイ状態またはIDLE状態に入るとき、処理回路302は、より低いRRC状態に入ることができる。たとえば、処理回路302が、以前に、CELL_PCH状態、URA_PCH状態、またはIDLE状態のいずれでもなかったとき、処理回路302は、これらの3つの状態のうちの1つに入ることによって、より低いRRC状態に入ることができる。
【００４２】
ステップ506で、UE 102は、現在のサービングセルにキャンプオンしてから待機期間が経過したかどうかを判断する。たとえば、層選択動作314を実施する処理回路302(たとえば、層選択モジュール308)は、現在のサービングセルにキャンプオンしてから待機期間が経過したかどうかを識別することができる。
【００４３】
少なくともいくつかの例では、待機期間は、セル再選択に関連する遅延期間に等しくてよい。いくつかの例では、UE 102が、現在のサービングセルにキャンプオンしているとき、所定のしきい値に満たないために、処理回路302が新しいセルへのセル再選択を実施することを遅らせることは、有利であり得る。言い換えれば、UE 102が最初に現在のサービングセルにキャンプオンするとき、処理回路302は、所定の待機期間が過ぎるまで、新しいセルへの再選択を控えるように適合され得る。規格仕様TS 25.304に記載されている少なくとも1つの例によれば、セル再選択に対するこの遅延期間は、1秒に設定されてよい。したがって、UE 102が、この規格仕様TS 25.304に従って動作するように適合されるとき、処理回路302は、UE 102が、現在のサービングセルにキャンプオンした後、セル再選択手順を行う前に、少なくとも1秒の持続時間の間待機する。待機期間が遅延期間に等しく、遅延期間が規格仕様TS 25.304によって規定される例では、層選択動作314を実施する処理回路302(たとえば、層選択モジュール308)はまた、以下で説明するように、UE 102が、現在のサービングセルにキャンプオンした後、より優先度の高い層の探索を行う前に、少なくとも1秒待機する。
【００４４】
したがって、ステップ508で、現在のサービングセルにキャンプオンしてから待機期間が経過した場合、UE 102は、ステップ504で、より低いRRC状態に入ると、所定の期間内に、より優先度の高い1つまたは複数の層を探索することができる。たとえば、層選択動作314を実施する処理回路302(たとえば、層選択モジュール308)は、より低いRRC状態に入ったことに応答して1つまたは複数のより優先度の高い層の探索を行うことができ、処理回路302がより低いRRC状態に入った時点から所定の期間内に、探索が行われる。非限定的な一例では、層選択動作314を実施する処理回路302(たとえば、層選択モジュール308)は、より低いRRC状態に入ると、1不連続受信(DRX)サイクル内に、より優先度の高い層の探索を開始する。
【００４５】
ステップ510で、現在のサービングセルにキャンプオンしてから待機期間が経過していない場合、UE 102は、待機期間の持続時間に続く所定の期間内に、より優先度の高い1つまたは複数の層を探索することができる。たとえば、層選択動作314を実施する処理回路302(たとえば、層選択モジュール308)は、より低いRRC状態に入ったことに応答して1つまたは複数のより優先度の高い層の探索を行うことができ、待機期間が経過した時点から所定の期間内に、探索が行われる。非限定的な一例では、層選択動作314を実施する処理回路302(たとえば、層選択モジュール308)は、待機期間の持続時間に続く1不連続受信(DRX)サイクル内に、1つまたは複数のより優先度の高い層の探索を開始する。
【００４６】
上記のように、待機期間は、遅延期間に等しくてよく、遅延期間は、規格仕様TS 25.304に従って1秒に設定されてよい。そのような一例によれば、層選択動作314を実施する処理回路302(たとえば、層選択モジュール308)は、より低いRRC状態に入った時点から所定の期間プラス待機期間(たとえば、1秒)内に、1つまたは複数のより優先度の高い層を探索することができる。別の例では、層選択動作314を実施する処理回路302(たとえば、層選択モジュール308)は、処理回路302が現在のサービングセルにキャンプオンしてから待機期間(たとえば、1秒)が経過した後、所定の期間内に、1つまたは複数のより優先度の高い層を探索することができる。
【００４７】
ステップ508および510で、より優先度の高い層の探索は、処理回路302が、1つまたは複数のより優先度の高い層に関するデータを、通信インターフェース304を介して取得する(たとえば、測定値を採取する、セルの使用可能性を識別する、など)ことを含むことができる。
【００４８】
図1、図2、図3、図4、および/または図5に示す構成要素、ステップ、特徴、および/または機能のうちの1つまたは複数は、単一の構成要素、ステップ、特徴または機能に再構成し、および/または組み合わせられ、あるいは、いくつかの構成要素、ステップ、または機能において具体化され得る。また、本開示の範囲から逸脱することなく追加の要素、構成要素、ステップ、および/または機能が追加され得る。図1、図2、および/または図3に示す装置、デバイス、および/または構成要素は、図4、および/または図5に記載した方法、特徴、またはステップのうちの1つまたは複数を実施するように構成され得る。また、本明細書に記載した新規のアルゴリズムは、ソフトウェアに効率的に実装されてもよく、および/またはハードウェアに組み込まれてもよい。
【００４９】
また、少なくともいくつかの実装形態を、フローチャート、フロー図、構造図、またはブロック図として示されるプロセスとして説明してきたことに留意されたい。フローチャートは動作を逐次プロセスとして説明し得るが、動作の多くは並行してまたは同時に実行され得る。加えて、動作の順序は並び替えられ得る。プロセスは、それの動作が完了したときに終了する。プロセスは、方法、関数、手順、サブルーチン、サブプログラムなどに対応し得る。プロセスが関数に対応するとき、プロセスの終了は、関数呼出しまたはメイン関数に対する関数のリターンに対応する。
【００５０】
さらに、実施形態は、ハードウェア、ソフトウェア、ファームウェア、ミドルウェア、マイクロコード、またはそれらの任意の組合せによって実装され得る。ソフトウェア、ファームウェア、ミドルウェアまたはマイクロコードで実装されるとき、必要なタスクを実行するプログラムコードまたはコードセグメントは、記憶媒体または他のストレージ(複数可)などの機械可読媒体に記憶され得る。プロセッサは必要なタスクを実行し得る。コードセグメントは、手順、関数、サブプログラム、プログラム、ルーチン、サブルーチン、モジュール、ソフトウェアパッケージ、クラス、または命令、データ構造もしくはプログラムステートメントの任意の組合せを表し得る。コードセグメントは、情報、データ、引数、パラメータ、またはメモリ内容をパスおよび/または受信することによって、別のコードセグメントまたはハードウェア回路に結合され得る。情報、引数、パラメータ、データなどは、メモリ共有、メッセージパッシング、トークンパッシング、ネットワーク送信などを含む、任意の好適な手段を介してパス、転送、または送信され得る。
【００５１】
「機械可読媒体」、「コンピュータ可読媒体」、および/または「プロセッサ可読媒体」という用語は、限定はしないが、ポータブルまたは固定ストレージデバイス、光ストレージデバイス、ならびに命令(複数可)および/またはデータを記憶、含有または搬送することができる様々な他の非一時的媒体を含み得る。したがって、本明細書で説明する様々な方法は、「機械可読媒体」、「コンピュータ可読媒体」、および/または「プロセッサ可読媒体」に記憶され、1つまたは複数のプロセッサ、機械、および/またはデバイスによって実行され得る命令および/またはデータによって、部分的にまたは完全に実装され得る。
【００５２】
本明細書で開示する例に関して説明する方法またはアルゴリズムは、ハードウェアで、プロセッサによって実行可能なソフトウェアモジュールで、または両方の組合せで、処理ユニット、プログラミング命令、または他の指示の形態で直接具体化され得、単一のデバイスに含まれるかまたは複数のデバイスにわたって分散され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体中に常駐し得る。記憶媒体は、プロセッサがその記憶媒体から情報を読み取り、その記憶媒体に情報を書き込むことができるようにプロセッサに結合され得る。代替として、記憶媒体はプロセッサと一体であり得る。
【００５３】
さらに、本明細書で開示する実施形態に関して説明する様々な例示的な論理ブロック、モジュール、回路、およびアルゴリズムステップは、電子ハードウェア、コンピュータソフトウェア、または両方の組合せとして実装され得ることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。
【００５４】
本明細書で説明した実施形態の様々な特徴は、本開示の範囲から逸脱することなく様々なシステムで実装され得る。上記の実施形態は例にすぎず、本開示を限定するものと解釈すべきではないことに留意されたい。実施形態の説明は、例示的なものであり、特許請求の範囲を限定するものではない。したがって、本教示は、他のタイプの装置、ならびに多くの代替形態、変更形態、および変形形態に容易に適用され得ることが当業者には明らかであろう。
【符号の説明】
【００５５】
100  ワイヤレス通信システム
102  ユーザ機器(UE)
104  UMTS地上波無線アクセスネットワーク(UTRAN)
106  コアネットワーク(CN)
108  無線ネットワークサブシステム(RNS)
110  無線ネットワークコントローラ(RNC)
112、112-a、112-b、112-c  Node B
116  モバイルサービス交換センタ(MSC)
118  GMSC
120  回線交換ネットワーク
122  ホームロケーションレジスタ(HLR)
124  サービングGPRSサポートノード(SGSN)
126  ゲートウェイGPRSサポートノード(GGSN)
128  パケットベースネットワーク
200  ワイヤレス通信ネットワーク
202-a、202-b、202-c  セル
206  アンテナグループ
208  アンテナグループ
210  アンテナグループ
212  アンテナグループ
214  アンテナグループ
216  アンテナグループ
218  アンテナグループ
220  アンテナグループ
222  アンテナグループ
302  処理回路
304  通信インターフェース
306  記憶媒体
308  層選択モジュール
310  受信機回路
312  送信機回路
314  層選択動作
【図１】
0005770934.tif 000002
【図２】
0005770934.tif 000003
【図３】
0005770934.tif 000004
【図４】
0005770934.tif 000005
【図５】
0005770934.tif 000006